(57)【要約】【課題】  自動機に対応可能であるとともに十分に電線を保持することのできる圧接コネクタを提供する。【解決手段】  圧接コネクタ10は、圧接刃21ａを有する複数の端子21を収容する第１部材20と、第１部材20に取付けられるとともに、複数の電線11を整列状態で保持する第２部材30とを有している。第２部材30は各電線11を個別に収容可能な略Ｕ字状に形成されて互いに平行に配置された複数の収容部31を有している。この収容部31には、内壁32に設けられて電線11を収容部31の底部31ａに接触するように係止する爪部33と、各収容部31の連続方向端部に設けられて電線11を収容部31の断面開口方向に付勢するランス34とを備えている。従って、爪部33とランス34との協働により、各電線11を屈曲させて保持するので、自動機に対応可能であるとともに十分に電線11を保持することができる。【選択図】  図１
2005063809.tif 000002
【特許請求の範囲】
【請求項１】
複数の端子を収容する第１部材と、
前記各端子に接続されて前記第１部材の表面から突出する複数の圧接刃と、
前記各圧接刃を覆うように前記第１部材に取付けられるとともに、前記各圧接刃に圧接される複数の電線を整列状態で保持する第２部材とを有する圧接コネクタであって、
前記第２部材が、前記各電線を個別に収容可能な略Ｕ字状に形成されて互いに平行に配置された複数の収容部と、
前記各収容部の内壁に設けられて前記電線を当該収容部に保持する爪部とを備え、
前記電線が、前記収容部において屈曲状態で前記圧接刃に接続されることを特徴とする圧接コネクタ。
【請求項２】
前記収容部の連続方向端部に設けられて前記電線を前記収容部の断面開口方向に付勢するランスが設けられていることを特徴とする請求項１に記載した圧接コネクタ。
【請求項３】
前記ランスが前記各収容部の連続方向両端部に設けられていることを特徴とする請求項２に記載した圧接コネクタ。
【請求項４】
前記収容部が、前記電線を屈曲状態で保持可能な膨出部を有することを特徴とする請求項１に記載した圧接コネクタ。
【請求項５】
前記膨出部が、前記圧接刃の圧接方向に膨らんでいることを特徴とする請求項４に記載した圧接コネクタ。
【請求項６】
前記第１部材に対して前記第２部材を仮係止可能な仮係止ロック手段と、前記第２部材を仮係止した状態から前記第１部材に対して本係止可能な本係止ロック手段とを備えていることを特徴とする請求項１に記載した圧接コネクタ。
【発明の詳細な説明】
【技術分野】
【０００１】
本発明は、圧接刃を電線に刺し込むことにより、電線と端子とを電気的に接続する圧接コネクタに関する。
【背景技術】
【０００２】
従来より、圧接ブロックに挿通したケーブルを端子の圧接部分に電気的に圧接結線するための圧接コネクタが知られている（例えば特許文献１参照）。
図１５に示すように、この圧接コネクタ100は、各ケーブルを圧接して電気的に導通させるための端子101を複数収容する端子ブロック102と、各ケーブルを挿入するためのケーブル挿入孔103を有するとともにケーブル圧接時に、端子ブロック102に対して平行な状態におかれてそのまま並進的に相対接近移動され得る圧接ブロック104とを有している。
そして、前記ケーブル挿入を容易化するために、端子ブロック102に対して圧接ブロック104を斜めの状態に解除自在に保持し得る傾斜保持手段105、106、107と、前記保持の解除時に、端子ブロック102に対して圧接ブロック104を平行な状態に解除自在に保持し得る平行保持手段108、109とを含んでいる。
【０００３】
なお、端子ブロック102の一方側（図１５において左側）には、箱状の窪み110が設けられ、この窪み110の内部に前述した複数個の端子101が所定間隔で設けられている。
また、端子ブロック102の他方側（図１５において右側）には、大きな凹所111が形成されており、この凹所111に端子101が平行に並べられて固定されており、各端子101の根元側が上方へ折り曲げられて圧接部分101ａを形成し、千鳥状となるように配置されている。
【０００４】
また、ばらばらの電線を端子に接続するばら線用圧接コネクタが開示されている（例えば特許文献２参照）。
図１６に示すように、この圧接コネクタ120は、圧接コンタクト121ａ、121ｂを有する本体部122と、接続するばら線の各電線123を圧接コンタクト121ａ、121ｂに対応する位置に案内手段を有する圧接カバー124とを備えている。
【０００５】
また、図１７に示すように、圧接カバー124の内面124ａには、多数の突起125が例えば千鳥状に設けられており、この突起125を縫うようにして電線123を蛇行させて、電線123を保持するようになっている。
従って、電線123を本体部122と圧接カバー124との間に保持し、圧接カバー124を本体部122に被せることにより、各電線123を圧接コンタクト121ａ、121ｂに電気的に接触させて保持する。
【特許文献１】特開２０００−１２１０９号公報（図４）
【特許文献２】特開平６−７６８６８号公報（図１、図２）
【発明の開示】
【発明が解決しようとする課題】
【０００６】
ところで、前述した特許文献１に開示された圧接コネクタ100においては、圧接ブロック104のケーブル挿入孔103から電線を挿入しなければならないため、自動機への対応が困難であり、人手で配線するのは面倒であるという不都合があった。
【０００７】
また、前述した特許文献２に開示された圧接コネクタ120においては、圧接カバー124にバラの電線123を保持する際に、突起125の間に電線123を屈曲させて保持力を確保しているため、電線123の組み付けが困難であるという不都合があった。
【０００８】
本発明は、前述した問題点に鑑みてなされたものであり、その目的は、自動機に対応可能であるとともに十分に電線を保持することのできる圧接コネクタを提供することにある。
【課題を解決するための手段】
【０００９】
前述した目的を達成するために、本発明は、複数の端子を収容する第１部材と、前記各端子に接続されて前記第１部材の表面から突出する複数の圧接刃と、前記各圧接刃を覆うように前記第１部材に取付けられるとともに、前記各圧接刃に圧接される複数の電線を整列状態で保持する第２部材とを有する圧接コネクタであって、前記第２部材が、前記各電線を個別に収容可能な略Ｕ字状に形成されて互いに平行に配置された複数の収容部と、前記各収容部の内壁に設けられて前記電線を当該収容部に保持する爪部とを備え、前記電線が、前記収容部において屈曲状態で前記圧接刃に接続されることを特徴としている。
ここで、電線としては、例えば一本ずつばらばらの電線や、端部のみばらばらになっているケーブル等を例示できる。
【００１０】
このように構成された圧接コネクタにおいては、第２部材に保持されている電線を、第１部材に収容されている端子の圧接刃により圧接する。
この際に、電線に自動機対応可能なものを用いて、第２部材に設けられているＵ字状の複数の収容部により平行に保持する。収容部では、内壁に設けられている爪部により、各電線を屈曲状態で保持する。
従って、この圧接コネクタにおいては、自動機に対応可能であるとともに十分に電線を保持することができ、従来のような自動機に対応困難であるという問題を解消できることになる。
【００１１】
また、本発明は、前記収容部の連続方向端部に設けられて前記電線を前記収容部の断面開口方向に付勢するランスが設けられていることを特徴としている。
【００１２】
このように構成された圧接コネクタにおいては、収容部の爪部とランスとの協働によって電線を屈曲状態で保持するので、電線を確実に保持することができる。
また、本発明は、前記ランスが前記各収容部の連続方向両端部に設けられていることを特徴としている。
【００１３】
このように構成された圧接コネクタにおいては、収容部の前後両端部に設けられているランスにより電線が屈曲されるので、十分な電線保持力を得ることができる。
【００１４】
また、本発明は、前記収容部が、前記電線を屈曲状態で保持可能な膨出部を有することを特徴としている。
【００１５】
このように構成された圧接コネクタにおいては、電線は収容部に設けられている膨出部において屈曲して保持することができ、電線を確実に保持することができる。
【００１６】
また、本発明は、前記膨出部が、前記圧接刃の圧接方向に膨らんでいることを特徴としている。
【００１７】
このように構成された圧接コネクタにおいては、収容部において圧接刃を電線に押し付けて接続する際に、収容部が圧接方向に膨らんだ膨出部を有するので、電線は膨出部の方に屈曲して圧接刃に接続される。これにより、電線を確実に保持することができる。
また、本発明は、前記第１部材に対して前記第２部材を仮係止可能な仮係止ロック手段と、前記第２部材を仮係止した状態から前記第１部材に対して本係止可能な本係止ロック手段とを備えていることを特徴としている。
【００１８】
このように構成された圧接コネクタにおいては、仮係止ロック手段により第２部材が第１部材に仮係止され、この仮係止状態から本係止ロック手段により本係止されるので、自動機に対応可能な電線を自動機で配線した後に、仮係止状態で自動機に対応できない電線を人手により配線することができる。
【発明の効果】
【００１９】
本発明によれば、従来のように自動機に対応できないため人手によって配線しなければならず面倒であるという問題を解消できるとともに、十分な電線保持力を確保することができるという効果が得られる。
【発明を実施するための最良の形態】
【００２０】
以下、本発明に係る実施形態を図面に基づいて詳細に説明する。図１は本発明に係る第１実施形態を示す斜視図、図２は図１中II方向から見た斜視図、図３は図１中III−III位置の断面図である。
また、図４は第２部材の斜視図、図５は第２部材に電線を取付ける状態を示した斜視図、図６は図５中VＩ−VＩ位置の断面図である。
【００２１】
図１および図２に示すように、本発明の第１実施形態である圧接コネクタ10は、第１部材としてのハウジング20と、このハウジング20に取付けられる第２部材としてのカバー30を有している。ここでは、例えば一対の上下カバー30Ｕ、30Ｌを有しているが、いずれか一方でも良い。
ハウジング20には複数の端子21が収容されており、各端子21に接続されている複数の圧接刃21ａがハウジング20の表面20ａから突出して設けられている（図３参照）。ここでは、一対の上下カバー30Ｕ、30Ｌに対応して、ハウジング20には上下２段の端子21が設けられている。
【００２２】
カバー30Ｕ、30Ｌは、各圧接刃21ａに圧接される複数の電線11を整列状態で保持している。
また、図２に示すように、カバー30Ｕ、30Ｌを、各圧接刃21ａを覆うようにして、ハウジング20に対して仮係止位置に仮止めする仮係止ロック手段と、最終的にカバー30Ｕ、30Ｌをハウジング20に固定する本係止ロック手段が設けられている。
【００２３】
仮係止ロック手段としては、例えばハウジング20に設けられている係止突起22と、カバー30Ｕ、30Ｌに設けられている仮係止凹部23とすることができる。
また、本係止ロック手段としては、ハウジング20に設けられている係止突起22と、カバー30Ｕ、30Ｌに設けられている本係止凹部24とすることができる。
【００２４】
図４に示すように、例えばカバー30Ｌは、各電線11を個別に収容可能な略Ｕ字状に形成されて互いに平行に配置された複数の収容部31を有しており、下カバー30Ｌでは上方が開口している。
また、図示はしないが、上カバー30Ｕでは下方が開口している。
【００２５】
この各収容部31の左右の内壁32には、電線11を収容部31の底部31ａに接触するように係止する爪部33が設けられている。
また、各収容部31の連続方向両端部には、電線11を収容部31の断面開口方向に付勢するランス34、34が設けられている。
【００２６】
従って、カバー30Ｕ、30Ｌの収容部31に電線11を配線するには、まず図５に示すように、カバー30Ｌの収容部31の上方に電線11をセットする。
そして、図５および図６に示すように、治具パンチ40を用いて電線11が底部31ａに接触するまで収容部31に押し込む。
【００２７】
なお、治具パンチ40は、下端部中央41が左右両端部42Ｌ,42Ｒに比べて突出しており、左右両端部42Ｌ,42Ｒの先端が電線11をランス34に押し付けたときに、下端部中央41が電線11をカバー30の収容部31の底部31ａに押し付けるようになっている。
そして、電線11が保持されたカバー30Ｕ、30Ｌをハウジング20の上下面に被せて押し付け、電線11を圧接刃21ａに押し付けて圧接し、カバー30Ｕ、30Ｌをハウジング20に固定する。
【００２８】
これにより、電線11は、カバー30の前後両端部においてはランス34の上に載り、カバー30の中央側においては収容部31の内壁32に設けられている爪部33の下方に位置することになるので、電線11は屈曲する。
なお、図５においては、電線11を一本ずつ収容部31に配線する場合について示しているが、自動機により全体をまとめて収容部31に押し込むこともできる。
【００２９】
従って、前述した圧接コネクタ10によれば、収容部31における電線11は、ランス34，34および爪部33の協働によりＵ字状に屈曲した状態で保持されるので、電線11を十分な保持力でカバー30に保持することができ、確実に端子21に圧接することができる。
また、自動機に対応することができるので、作業効率を改善することができる。
【００３０】
なお、前述した圧接コネクタ10では、自動機対応の電線に限らず、自動機対応不可の電線についても容易に挿入することができる。
図７は上側の電線の一部が自動機に対応していない場合を示す斜視図、図８は図７中VIII方向から見た斜視図、図９(Ａ)〜（Ｃ）は自動機に対応していない上側の電線11Ｕの取り付け手順を示す断面図である。
なお、この圧接コネクタ10Ａは、前述した圧接コネクタ10と同じものなので、共通する部位には同じ符号を付して重複する説明を省略することとする。
【００３１】
この場合、上側の電線11Ｕの一部はシールド線11Ａのような自動機に対応できないものが配線されている。
このため、まず、図９(Ａ)に示すように、上カバー30Ｕとハウジング20との間に隙間12を設けるために、ハウジング20の係止突起22を上カバー30Ｕの仮係止凹部23に係止させて仮止めし(図２の状態)、上カバー30Ｕをハウジング20の上側に仮止め状態で取付けておく。
【００３２】
そして、図９(Ｂ)に示すように、上カバー30Ｕの収容部31に、シールド線11Ａのばらした電線11Ｖを先端から差し込む。図９(Ｃ)に示すように、電線11Ｖを完全に差し込んだら、上カバー30Ｕと共に電線11Ｖを下方へ押し下げて、圧接刃21ａの隙間に通し、ハウジング20の係止突起22を上カバー30Ｕの本係止凹部24に係止させる。
これにより、自動機に対応できない電線11Ａについても、図３に示したように、電線11Ｖを十分な保持力でカバー30に取付けることができ、確実に電線11を端子21に圧接することができる。
【００３３】
図１０は前述した圧接コネクタ10の変形例を示す分解斜視図である。また、図１１は、図１０中XI−XI位置の断面図である。
この圧接コネクタ50では、第１部材としてのカバー51と、このカバー51が取付けられる第２部材としてのハウジング52を有している。
ここでは、例えば一対の上下カバー51Ｕ、51Ｌを有しているが、いずれか一方でも良い。
【００３４】
図１１に示すように、上下カバー51Ｕ、５１Ｌには各々複数の端子21が収容されており、各端子21に接続されている複数の圧接刃21ａが内側に折れ曲がって上下カバー51Ｕ、51Ｌの表面から突出して設けられている。
ここでは、一対の上下カバー51Ｕ、51Ｌに対応して、ハウジング52には上下２段の収容部31が設けられている。
【００３５】
ハウジング52には電線11を収納する複数個の収納部31が設けられており、図４において前述した第1実施形態の場合と同様にランス34および爪部33等が設けられている。
従って、ハウジング52に電線11Ｕ、11Ｌを配線する場合には、前述した図５と同様にして治具パンチ40を用いて押し込み、ランス34と爪部33の協働により、電線11Ｕ、11Ｌを屈曲させて、確実に保持する。
そして、電線11Ｕ、11Ｌを保持しているハウジング52に、上下からカバー51Ｕ、51Ｌを被せ、押し付ける。これにより、電線11Ｕ、11Ｌは圧接刃21ａにより圧接される。
【００３６】
従って、このような圧接コネクタ50によれば、第1実施形態において前述した圧接コネクタ10と同様、ランス34，34および爪部33の協働によりＵ字状に屈曲した状態で保持されるので、電線11を十分な保持力でカバー30に保持することができ、確実に端子21に圧接することができる。
また、自動機に対応することができるので、作業効率を改善することができる。
【００３７】
次に、第３実施形態について説明する。図１２には、第３実施形態に係る圧接コネクタに電線を接続した状態を示す断面図、図１３は第３実施形態に係る圧接コネクタで用いた圧接端子の斜視図、図１４は上側のカバーの断面図である。なお、前述した第１実施形態に係る圧接コネクタと共通する部位には同じ符号を付して、重複する説明を省略することとする。
【００３８】
図１２に示すように、本発明の第３実施形態である圧接コネクタ60は、第１部材としてのハウジング61と、このハウジング61に取付けられる第２部材としてのカバー62を有している。ここでは、例えば一対の上下カバー62Ｕ、62Ｌを有しているが、いずれか一方でも良い。
【００３９】
図１３に示すように、この圧接コネクタ60で用いた圧接端子70はメス側の端子であり、一方の端部には他の電気部品等に接続するための接続部71が設けられている。接続部71は、弾性変形可能な一対の接続片71ａ、71ａを有しており、この一対の接続片71ａ、71ａが例えばの電気部品等の端子等を把持して導通する。また、圧接端子70の他方の端部には、電線11に圧接するための圧接刃72が設けられている。
【００４０】
図１４に示すように、下側のカバー62Ｌは断面矩形状をしており、上部に電線11が通る収容部31が前後（図１４において左右）に貫通して設けられている。収容部31には、圧接方向である下側に向かって膨出部63が設けられている。収容部31および膨出部63を通って外部まで延びるスリット64が設けられており、圧接刃25ａが嵌入する（図１２参照）。また、収容部31の左右の内壁32には、電線11を収容部31に保持するための爪部33が設けられている。
【００４１】
従って、図１４に示すように、カバー30Ｕ、30Ｌの収容部31に電線11を配線するには、図５において前述したのと同様に、カバー30Ｕ，30Ｌの収容部31の上方に電線11をセットする。そして、治具パンチ40を用いて電線11を爪部33の内側に押込み、爪部33により保持されるようにする。
【００４２】
このように、カバー30Ｕ，30Ｌに電線を保持したら、カバー30Ｕ、30Ｌをハウジング20に被せて装着する。このとき、圧接刃21ａは電線11を外側、すなわち収容部31から膨出部63側に押しながら圧接され、圧接刃21ａの先端部はカバー30Ｕ，30Ｌに設けられているスリット64に嵌入する。このため、電線11は、カバー30Ｕ、30Ｌの内部において、屈曲した状態で保持されることになり、確実に保持されることになる。
なお、本発明の圧接コネクタ10,50は、前述した第１実施形態または第２実施形態に限定されるものでなく、適宜な変形，改良等が可能である。
【００４３】
その他、前述した各実施形態において例示した第１部材、第２部材、仮係止ロック手段，本係止ロック手段，収納部等の形状，寸法，形態，数，配置個所等は本発明を達成できるものであれば任意であり、限定されない。
【図面の簡単な説明】
【００４４】
【図１】本発明に係る第１実施形態を示す斜視図である。
【図２】図１中II方向から見た斜視図である。
【図３】図３は図１中III−III位置の断面図である。
【図４】第２部材の斜視図である。
【図５】第２部材に電線を取付ける状態を示した斜視図である。
【図６】図５中VＩ−VＩ位置の断面図である。
【図７】上側の電線の一部が自動機に対応していない場合を示す斜視図である。
【図８】図７中VIII方向から見た斜視図である。
【図９】(Ａ)〜（Ｃ）は、自動機に対応していない上側の電線の取り付け手順を示す断面図である。
【図１０】図１に示した圧接コネクタの変形例示す分解斜視図である。
【図１１】図１０中XI−XI位置の断面図である。
【図１２】本発明に係る第２実施形態を示す断面図である。
【図１３】圧接端子の一例を示す斜視図である。
【図１４】カバーの断面図である。
【図１５】従来の圧接コネクタの一例を示す分解斜視図である。
【図１６】従来の圧接コネクタの別の例を示す分解斜視図である。
【図１７】圧接カバーに設けられている多数の突起の配列を示す説明図である。
【００４５】
10、50、60  圧接コネクタ
11  電線
20、61  ハウジング（第１部材）
20ａ  表面
21  端子
21ａ  圧接刃
22  係止突起（仮係止ロック手段、本係止ロック手段）
23  仮係止凹部（仮係止ロック手段）
24  本係止凹部（本係止ロック手段）
30  カバー（第２部材）
31  収容部
31ａ  底部
32  内壁
33  爪部
34  ランス
51  カバー（第１部材）
52  ハウジング（第２部材）
62  カバー（第１部材）
63  膨出部
【図１】
2005063809.tif 000003
【図２】
2005063809.tif 000004
【図３】
2005063809.tif 000005
【図４】
2005063809.tif 000006
【図５】
2005063809.tif 000007
【図６】
2005063809.tif 000008
【図７】
2005063809.tif 000009
【図８】
2005063809.tif 000010
【図９】
2005063809.tif 000011
【図１０】
2005063809.tif 000012
【図１１】
2005063809.tif 000013
【図１２】
2005063809.tif 000014
【図１３】
2005063809.tif 000015
【図１４】
2005063809.tif 000016
【図１５】
2005063809.tif 000017
【図１６】
2005063809.tif 000018
【図１７】
2005063809.tif 000019